(57)【要約】【課題】補綴物及び義歯製作作業において、瞬間接着剤にて印象模型を固定できる既製の模型台を、咬合器装着用石膏を使用せず上弓及び下弓に装着でき、装着時及び装着後にも上下、左右、前後、傾斜方向の調整が可能な為、短時間且つ簡単な作業で最適な咬合状態を保つことができる上下顎の自由運動の再現を目的とした調整自在型歯科用咬合器を提供するものである。【解決手段】本発明は、瞬間接着剤にて印象模型を固定できる既製の模型台を、上弓及び下弓に模型収納部を設けることで咬合器装着用石膏を使用せず収納、固定可能であり、印象模型を装着時及び装着後に関わらず位置関係のずれを上下、左右、前後、傾斜方向の調整により最適な咬合状態を保ち再現できる。【選択図】          図１
2004313716.tif 000002
【特許請求の範囲】
【請求項１】
この歯科用咬合器は、上弓及び、下弓に印象模型と対合歯とを咬合器装着用石膏を使用しないで装着できる既製の模型台を取り付けるための模型台収納部を設けており、その模型台を主として上弓及び、下弓に設けられた模型固定ネジにより固定可能にしたことを特徴とする歯科用咬合器。
【請求項２】
上記上弓とコンダイルベースをつなぐ回転軸により、コンダイルベースの回転軸挿入部を支点とすることで上弓は傾斜角度が調整自在に支持されると共に、前後にも調整可能にしたことを特徴とする歯科用咬合器。
【請求項３】
上記コンダイルベースに取り付けられたコンダイル中央の支柱により上記上弓と上記下弓との対向間隔を上下に調整自在とし、さらに下弓に設けられた支柱挿入部を支点とすることで、支柱に支持された上部位の水平方向への回転も調整可能にしたことを特徴とする歯科用咬合器。
【請求項４】
上記模型台収納部は楕円状を基本としているため模型固定ネジによる固定方法が基本になるが、様々な形状の上記既製の模型台にも、バネ、クリップ、締め付けバンド、クランプ等で固定可能にしたことを特徴とする請求項１〜３のいずれか１項に記載の歯科用咬合器。
【発明の詳細な説明】
【０００１】
【発明の属する分野】
この発明は、補綴物及び義歯等の製作の際に、上下顎の印象模型を咬合器へ装着時及び装着後に関わらず上下、左右、前後、傾斜方向にも位置調整しながら、咬合器装着用石膏を使用せずに短時間で正確に装着、再装着ができ、正確な咬合状態を再現できる歯科用咬合器に関するものである。
【０００２】
【従来の技術】
補綴物及び義歯等は、患者個々の顎の形態の特徴に応じて不正咬合が生じないように、咬合器を用い立体的な調整を行い製作される。一般的に咬合器は、上顎フレームには上顎模型取付台、下顎ベースには下顎模型取付台を備え、上顎フレームを支持する支柱、下顎ベースに取り付けられるインサイザルテーブル、これに対向して上顎フレームに取り付けられるインサイザルポールを基本構造としている。また上顎模型と下顎模型との咬合平面の高さ位置の決定にはインサイザルポールをインサイザルテーブルに当てることで決定される。
【０００３】
補綴物及び義歯等の製作過程において、上顎模型取付台、下顎模型取付台に印象模型を取り付ける際、咬合器装着用石膏を使用する方法しか確立されておらず、練和開始から装着作業、凝結完了までの時間を要する。
【０００４】
また解剖学的な顎の複雑な動きをより正確に再現させるため上述した咬合器の基本構造に様々な機能を付加されて構成されている。
【０００５】
【発明が解決しようとする課題】
上記従来の咬合器は、患者個々の歯の位置や顎の複雑な動きをより正確に再現させようとするために、基本構造に付加される様々な機能をを有しているため調整機能箇所が多く、全体として極めて複雑なため熟練を要する。それ故、依然として患者個々に適合した補綴物及び義歯等の製作を困難なものにしていた。そのため現場からは、咬合器に解剖学的な顎の複雑な全ての動きを再現する調整機能を有する必要性は無く、患者個々の良好な咬合状態を十分得られるものであればよいとされている。
【０００６】
上記従来の咬合器は、補綴物及び義歯等の製作過程において、必要不可欠な印象模型と対合歯とを上顎フレーム、下顎ベースの模型取付台に装着する際、咬合器装着用石膏を介して行なわければならなかった。咬合器装着用石膏は通常の石膏と同様に凝結膨張する為に、位置移動が発生する。そのため装着時は勿論、装着後の位置関係の再現に失敗した場合、上述した様々な機能を付加した咬合器でも充分な修正対応はできず、この石膏は取り外すことになり時間、手間、コストといった種々の問題点があった。
【０００７】
また上顎フレーム、下顎ベースに咬合器装着用石膏を使用されると共に、洗浄等のための大量の水が使用される。そのため咬合器には、石膏の粉や破片等の除去対応や防錆対策には充分な配慮をしなければならない。しかしながら基本構造に付加される様々な機能をを有した咬合器は、調整機能箇所が多くその部位に進入した石膏の粉や破片等の除去は困難であり、またこれらの部位に錆が発生しやすいという問題もあった。
【０００８】
【発明の目的】
本発明は、上記従来の咬合器の諸問題点を解決するために、補綴物及び義歯等の製作過程における咬合器装着用石膏を使用せず、接着剤にて印象模型を固定できる既製の模型台を上弓及び、下弓に模型台収納部を設けることでネジ、バネ、クリップ、締め付けバンド、クランプ等の様々な固定方法により短時間で装着、再装着を可能にし、必要最抵限の調整機能で患者個々の良好な咬合状態を充分得ることのできる調整自在型歯科用咬合器を提供することを目的としたものである。
【０００９】
【課題を解決するための手段】
この目的を満たす本発明の咬合器は、上弓及び、下弓に模型台収納部を設けることで印象模型と対合歯とを装着の際、咬合器装着用石膏を使用せず、接着剤にて印象模型を固定できる既製の模型台を収納でき、基本的な方法として模型固定ネジで装着、再装着を可能とした。また装着時、装着後の咬合状態の修正を容易に行うことができる。上弓とコンダイルベースをつなぐ回転軸により、コンダイルベースの回転軸挿入部を支点とすることで上弓は傾斜角度が３６０度調整自在に支持されると共に、前後にも調整可能なため咬合面の前後のずれ、傾斜方向のずれも最適な咬合状態に修正可能。修正後上弓に設けられた回転トメネジで固定でき、咬合面のずれを上弓の可動範囲で修正することが可能である。さらにコンダイルベースに取り付けられたコンダイル中央の支柱により上弓と下弓との対向間隔を上下に調整自在とし、さらに下弓に設けられた支柱挿入部を支点とすることで、支柱に支持されたコンダイル、コンダイルベース、上弓を含む上部位の水平方向へ３６０度の回転も調整可能にし、下弓に設けられた支柱固定ネジで固定し、より正確な咬合状態を再現することが可能である。
【００１０】
また従来の咬合器のように、印象模型と対合歯とを上顎フレーム、下顎ベースの模型取付台に咬合器装着用石膏を介して装着する必要が無く、言い換えれば、咬合器装着用石膏を一切使用しないために一切の水を使用する必要も無いので、石膏の粉や破片等の除去対応や防錆対策を従来の咬合器のように、大量の水に濡れることを前提とした対策を講じなければならないのに比べ、必要最低限に留まり咬合器自体のコストを低く押えることが可能である。
【００１１】
【発明の実施の形態】
以下、本発明の咬合器の実施の形態について、図面を参照しながら説明する。本咬合器は上弓（１）、下弓（１２）に図２に示されるような同じ形状の模型収納部を設け、上弓１には咬合器装着用石膏を使用せず接着剤にて印象模型を固定できる既製の模型台（１５）を収納し、模型固定ネジ（１４）のみで容易に固定することが可能である。同様に下弓１２の模型収納部に上記同一の既製の模型台（１６）を収納し、上弓１の設けられた模型固定ネジ１４と同様、容易に模型固定ネジ（１３）で固定可能である。上弓１、下弓１２とも模型固定ネジ１３，１４にて固定の際、上記既製の模型台１５，１６は模型固定ネジ１３，１４を締めることで模型収納部側面に接し固定される。また上記既製の模型台１５，１６を外す場合は、模型固定ネジ１３，１４を緩めることで容易に外すことが可能である。模型台の形状によって外れにくい場合でも、図１、２に示されているように上弓１、下弓１２の模型収納部に収納された模型台を直接上から（下弓１２の場合は下から）押すことで容易に外すことが可能である。これは請求項４にあるように模型固定ネジ１３，１４以外のバネ、クリップ、締め付けバンド、クランプ等などを使用した固定方法の場合でも同様の効果を発揮可能である。さらに模型台を外すためだけに有るのではなく、楕円形、円形、長方形、正方形など様々な形状の上記既製の模型台を固定可能にするために、請求項４にあるような様々な方法を効果的にするための固定手段としても用いられる。
【００１２】
上顎印象模型１７と下顎印象模型１８は上記既製の模型台１５，１６に固定前に底面のトリーマーを行う。従来の咬合器は模型取付台があり、そこに咬合器装着用石膏を介して印象模型を取り付ける方法しか確立されていなかった。そのため印象模型のトリーマーには装着後の位置関係の再現に失敗した場合の手間、時間などのコストを念頭に置くと、細心の注意力が必要であり、必要以上の労力に強いられる。しかし本咬合器は、上記既製の模型台１５，１６を使用するため接着剤を用いて印象模型を固定する。咬合器装着用石膏が練和開始から凝結完了までの時間が必要なのに対し、非常に短い時間で印象模型を固定可能である。固定する際には図５に示されたように、筒状でＶ溝入りのセントリックパイプ（６）をコンダイルベース（４）に取り付けられた円柱状のコンダイル（５）まで、完全に上へ持ち上げられた状態（以後セントリックという）でセントリックトメネジ（７）に取り付けられたセントリッククランプ（８）を締めることでパイプ押え（９）がセントリックパイプ６を押す形になり、より強くセントリックパイプ６が固定される。それにより上弓１の自由運動を止めた、より安定した状態で固定することを可能にした。
【００１３】
底面のトリーマーによる印象模型の咬合面のずれが生じた際、上弓１とコンダイルベース４をつなぐ円柱状の回転軸（３）により、コンダイルベース４の回転軸挿入部を支点とすることで上弓１は図７に示されるように傾斜角度が３６０度調整自在に支持される。また図８に示されるように前後にも調整可能なため咬合面の前後のずれ、傾斜方向のずれを上弓１の可動範囲で最適な状態に修正することが可能である。修正後上弓１に設けられた回転トメネジ（２）で固定できる。
【００１４】
また、図３に示されるコンダイルベース４に取り付けられたコンダイル５の中央の円柱状の支柱（８）により、図９に示されるように上弓１と下弓１２との対向間隔を上下に調整自在とすることを可能にした。図１０に示されるように下弓１２に設けられた支柱挿入部を支点とすることで、支柱８に支持されたコンダイル５、コンダイルベース４、上弓１を含む上部位の水平方向へ３６０度の回転も調整することが可能である。より正確な咬合状態の位置で下弓１２に設けられた支柱固定ネジ（１１）で固定することが可能である。
【００１５】
以上のような調整、修正方法によって患者個々の良好な咬合状態の再現を可能とし、さらにセントリック時の上下顎の開閉運動、また支柱１２には上部がバネになっており、図６に示されるようにセントリック解除（セントリックパイプが下弓に接するまで下げた状態）時には、より自由度の高い運動を可能とした。
【００１６】
なお参照した図面上の上顎印象模型１７と下顎印象模型１８は片顎で示されているが、上述したように楕円形、円形、長方形、正方形など様々な形状の上記既製の模型台が有り、請求項４にあるような様々な固定方法で固定可能であれば、片顎に限定されるものではなく、全顎にも対応し得る。
【００１１】
【発明の効果】
以上のように構成される上述した目的を満たす咬合器は、従来の様々な機能をを有している複雑な咬合器のように印象模型と対合歯とを上顎フレーム、下顎ベースの模型取付台に咬合器装着用石膏を介して装着しなければならないのに比べ、上下弓に装着時及び装着後の印象模型が傾斜状態や前後のずれの状態は回転軸と回転トメネジの調整。上下の高さ調整と左右の調整が必要な場合は支柱と支柱トメネジの調整。といった必要最抵限の調整機能で修正及び補整可能であり、咬合器装着用石膏を一切使用せず接着剤にて印象模型を固定できる既製の模型台を使用することで一切の水を使用する必要が無く、石膏の粉や破片等の除去対策や防錆対策にもなり、咬合器自体の低コスト化、さらに模型収納部を設けることで容易に収納、固定可能なために短時間、高効率、低コストで補綴物及び義歯等の製作を行うことができる極めて実用性の高い咬合器である。
【図面の簡単な説明】
【図１】本発明に係る咬合器の側面図であり、模型収納部と模型台、印象模型の関連を示した図である。（上弓及び下弓は断面図）
【図２】同咬合器の上弓、下弓の模型収納部の図である。
同咬合器を上から見た図であり回転軸と回転トメネジの関連、コンダイルベースとコンダイルの関連を示した図である。（コンダイルベース一部断面）
【図４】同咬合器の正面図である。
【図５】同咬合器を後から見た図でありセントリックを示している。
【図６】同咬合器の後から見た図であり矢印にてセントリックとセントリック解除を示している。
【図７】同咬合器の正面図であり回転軸を中心に上弓の傾斜の可動域を矢印にて示している。
【図８】同咬合器の側面図であり回転軸を中心に上弓の前後の可動域を矢印にて示している。
【図９】同咬合器の側面図であり支柱トメネジを緩めた場合の上下の可動域を矢印にて示している。
【図１０】同咬合器の上から見た図であり支柱トメネジを緩めた場合の左右の可動域を矢印にて示している。
【符号の説明】
１        上弓
２        回転トメネジ
３        回転軸
４        コンダイルベース
５        コンダイル
６        セントリックパイプ
７        セントリックトメネジ
８        セントリッククランプ
９        パイプ押え
１０      支柱
１１      支柱固定ネジ
１２      下弓
１３      模型固定ネジ
１４      模型固定ネジ
１５      模型台
１６      模型台
１７      上顎印象模型
１８      下顎印象模型
１９      コンダイル固定ネジ
【図１】
2004313716.tif 000003
【図２】
2004313716.tif 000004
【図３】
2004313716.tif 000005
【図４】
2004313716.tif 000006
【図５】
2004313716.tif 000007
【図６】
2004313716.tif 000008
【図７】
2004313716.tif 000009
【図８】
2004313716.tif 000010
【図９】
2004313716.tif 000011
【図１０】
2004313716.tif 000012
【手続補正書】
【提出日】平成15年6月25日(2003.6.25)
【手続補正１】
【補正対象書類名】明細書
【補正対象項目名】図面の簡単な説明
【補正方法】変更
【補正の内容】
【図面の簡単な説明】
【図１】本発明に係る咬合器の側面図であり、模型収納部と模型台、印象模型の関連を示した図である。（上弓及び下弓は断面図）
【図２】同咬合器の上弓、下弓の模型収納部の図である。
【図３】同咬合器を上から見た図であり回転軸と回転トメネジの関連、コンダイルベースとコンダイルの関連を示した図である。（コンダイルベース一部断面）
【図４】同咬合器の正面図である。
【図５】同咬合器を後から見た図でありセントリックを示している。
【図６】同咬合器の後から見た図であり矢印にてセントリックとセントリック解除を示している。
【図７】同咬合器の正面図であり回転軸を中心に上弓の傾斜の可動域を矢印にて示している。
【図８】同咬合器の側面図であり回転軸を中心に上弓の前後の可動域を矢印にて示している。
【図９】同咬合器の側面図であり支柱トメネジを緩めた場合の上下の可動域を矢印にて示している。
【図１０】同咬合器の上から見た図であり支柱トメネジを緩めた場合の左右の可動域を矢印にて示している。
【符号の説明】
１      上弓
２      回転トメネジ
３      回転軸
４      コンダイルベース
５      コンダイル
６      セントリックパイプ
７      セントリックトメネジ
８      セントリッククランプ
９      パイプ押え
１０    支柱
１１    支柱固定ネジ
１２    下弓
１３    模型固定ネジ
１４    模型固定ネジ
１５    模型台
１６    模型台
１７    上顎印象模型
１８    下顎印象模型
１９    コンダイル固定ネジ